(57)【要約】【課題】電子レンジで加熱するときに内容物を包装し、袋を横置に載置のまま、破裂を起こさず、自動的に安定して内圧を低下させ、流動性食品等の内容物でもこぼれることのない優れた電子レンジ用包装袋を提供する。【解決手段】耐熱性基材層とシーラント層の間に、室温以下で所定の強度を有するが、高温で前記所定の強度が低下する樹脂層を一領域設けた積層フィルムを用い、シーラント面を上面とした下部材と、シーラント面同士を向かい合わせて側部と先端辺部とをシールしたウィング部を形成し、シーラント面を下面とした上部材とを重ね合わせ、その周縁部をシールして密封した包装袋であって、前記のウィング部の上部材に前記の積層フィルムを用い、シールしたウィング部の先端辺部の少なくとも一領域に、前記の樹脂層を内側から外側に向かって横断するように形成する電子レンジ用包装袋を特徴とする。【選択図】　図３
2004106863.tif 000002
【特許請求の範囲】
【請求項１】
電子レンジにより加熱するための袋であって、耐熱性基材層とシーラント層の間に、室温以下の温度環境では所定の強度を有するが、高温の温度環境では前記所定の強度が低下する樹脂層を、少なくとも一領域設けた積層フィルムを用いる包装袋であって、かつ、シーラント面を上面とした下部材と、シーラント面同士を向かい合わせて側部と先端辺部とをシールしたウィング部を形成し、シーラント面を下面とした上部材とを重ね合わせ、その周縁部をシールして主シール部として密封した包装袋であって、前記のウィング部を構成する上部材の１枚又は２枚が、前記の樹脂層を、シールしたウィング部の先端辺部の少なくとも一領域に、内側から外側に向かって横断するように形成してなることを特徴とする電子レンジ用包装袋。
【請求項２】
前記の樹脂層を設けたウィング部の先端辺部の領域におけるシール強度が、８０℃以上の高温の温度領域では１０Ｎ／１５ｍｍ以下となることを特徴とする請求項１記載の電子レンジ用包装袋。
【請求項３】
上記の包装袋の端部からウィング部までとウィング部から他端部までの長さの比が２／３以下であることを特徴とする請求項１〜２のいずれかに記載の電子レンジ用包装袋。
【発明の詳細な説明】
【０００１】
【発明の属する技術分野】
本発明は、輸送や保管をするときに加わる圧力や衝撃によって剥離することなく、また、電子レンジで加熱するときに内容物を包装したまま破裂を起こさず、自動的に内圧を低下させることができる電子レンジ用包装袋に関するものである。
さらに詳しくは、内容物として、固形食品に加えて、例えば、カレー、スープ等の流動性食品、飲料水等の各種の飲食品を密封包装し、袋を横置に載置したまま内容物がこぼれることなく、安全に加熱することができる電子レンジ用包装袋に関するものである。
【０００２】
【従来技術】
近年、電子レンジの普及発展に伴い、また、調理の簡便化の要請から、調理済み加工食品を、プラスチック製の包装袋等に包装し、密封して、保存性を持たせた形態で流通されている。
こうした食品を電子レンジで加熱する場合において、包装袋が、密封したままであると、加熱により内容物から発生する水蒸気により袋内の内圧が上昇し、ついには破裂し、内容物が電子レンジ庫内に飛散してしまうことが知られている。このような包装袋の破裂を防止するために、従来の包装容器としては、例えば、電子レンジで加熱する前に、包装袋の一部をはさみで切り、通気口を形成しておく包装容器がある（例えば、特許文献１参照。）。
また、消費者が、加熱する前に、前記の通気口を形成する作業を忘れてしまい、加熱して袋を破裂させる事態を回避するため、自動的に水蒸気を通気することができる種々の包装容器が提案されている。
電子レンジで加熱した際の容器内圧の上昇により、ガス抜き用の貫通細孔が、プラスチック容器のシール面上に塗布された剥離剤に沿って生じる包装容器がある（例えば、特許文献２参照。）。
また、同様の貫通細孔が、耐熱性のある熱可塑性樹脂層とシーラントフィルムとの中間に設けられた剥離剤層に沿ってシール面上に生じる包装容器もある（例えば、特許文献３参照。）。
【０００３】
【特許文献１】
特開平１０−７２０７０号公報（第２−３頁、第３図）
【特許文献２】
特開平９−４００３０号公報（第４頁、第６図）
【特許文献３】
特開平９−２７２１８０号公報（第３−４頁、第４図）
【０００４】
【発明が解決しようとする課題】
しかしながら、電子レンジで加熱する前に、包装袋の一部をはさみで切り、通気口を形成しておく包装容器は、手間がかかって面倒であり、また、消費者が加熱する前に、前記の通気口を形成する作業を忘れてしまい、加熱して袋を破裂させる恐れがあり、非常に危険である。
また、シール面上に剥離剤を塗布した包装容器の場合において、上記の剥離剤は、もともと剥離しやすくするために形成されているものであるため、通常の輸送時や保管時に加わる圧力や衝撃によってシール面から剥離するおそれがあった。
また、上記の剥離剤の塗布面がシール部分からはみ出すように形成されたものは、剥離剤が内容物と接触するため、好ましくなかった。
そのため、従来は、輸送時の衝撃等に耐えるように、剥離剤層のパターン形状を工夫したり、剥離剤層がシール部分からはみ出さないように精度よく形成しなければならないといった工程上の複雑な問題があった。
【０００５】
さらに、本出願人は、本件出願に先立ち、耐熱性基材層とシーラント層の間に、室温以下の温度環境では所定の強度を有するが、高温の温度環境では軟化して強度が低下する樹脂層を設けた包装材料を用い、電子レンジ用包装袋の作製を試みた。
この電子レンジ用包装袋は、シール部の一部に上記の樹脂層が設けられているので、電子レンジで加熱されて起こる内圧の上昇によって開封し、包装袋内の圧力を自動的に逃がすことが可能であった。
【０００６】
しかしながら、この電子レンジ用包装袋においては、内容物として、固形状の食品に対応できる包装袋であるが、カレー等の流動性食品、飲料水等の飲食品について、袋を開封する前に内容物がこぼれてしまうという恐れがあるため、流動性食品等の液体の入った飲食品の包装袋として対応できなかった。
【０００７】
【課題を解決するための手段】
そこで本発明者らは、上記の課題を解決するために、鋭意研究の結果、本発明は、電子レンジにより加熱するための袋であって、耐熱性基材層とシーラント層の間に、室温以下の温度環境では所定の強度を有するが、高温の温度環境では前記所定の強度が低下する樹脂層を少なくとも一領域設けた積層フィルムを用いる包装袋であって、かつ、シーラント面を上面とした下部材と、シーラント面同士を向かい合わせて側部と先端辺部とをシールしたウィング部を形成し、シーラント面を下面とした上部材とを重ね合わせ、その周縁部をシールして主シール部として密封した包装袋であって、前記のウィング部を構成する上部材の１枚又は２枚が、前記の樹脂層を、シールしたウィング部の先端辺部の少なくとも一領域に、内側から外側に向かって横断するように形成してなることを特徴とする電子レンジ用包装袋を製造したところ、樹脂層のパターン形成の精度をシビアにする必要がなく、容易にパターン形成することができ、また、常温以下、すなわち食品等の包装工程時や包装後の冷凍時の環境温度領域においてシール強度に優れ、内容物がこぼれることもなく、また、電子レンジで加熱するときに内容物を包装したまま破裂を起こさず、自動的に内圧を低下させることができ、また、内容物として、固形食品に加えて流動性食品等の各種の飲食品を密封包装し、袋を横置に載置したまま内容物がこぼれることなく、安全に加熱することができる電子レンジ用包装袋を製造し得ることを見いだすに至った。
上記において、本発明によれば、前記の樹脂層を設けたウィング部の先端辺部の領域におけるシール強度が、８０℃以上の高温の温度領域では１０Ｎ／１５ｍｍ以下となることを特徴とする電子レンジ用包装袋を提供することができる。
また、上記の包装袋の端部からウィング部までとウィング部から他端部までの長さの比が２／３以下であることを特徴とする電子レンジ用包装袋を提供することができる。
【０００８】
【発明の実施の形態】
以下、本発明を具体的に説明する。
図１は、本発明の電子レンジ用包装袋に用いられる包装材料１０の一例を示す断面図である。
図２は、本発明の電子レンジ用包装袋のシールしたウィング部の先端辺部の一例を示す拡大断面図である。
図３および図４は、本発明の電子レンジ用包装袋の一例を示す斜視図である。図５は、本発明の電子レンジ用包装袋の構造を示す説明図、及び、そのＸ１−Ｘ１部における断面図であり、図６は、ウィング部の先端辺部に設けられる樹脂層形成領域の形状の一例を示す平面図である。
図７は、図４のＸ２−Ｘ２部の断面図である。
図８および図９は、本発明の電子レンジ用包装袋に内容物を充填した包装体の断面図である。
図１０および図１１は、図８および図９の包装体のウィング部のシール部の（ａ）加熱前の状態と（ｂ）加熱によって蒸気を放散する状態を示す拡大断面図である。
【０００９】
まず、本発明にかかる電子レンジ用包装袋を形成する各部材について説明する。
図１は、本発明の電子レンジ対応包装袋に用いられる包装材料１０の一例を示す断面図である。
図１（ａ）に示すように、包装材料１０は、耐熱性基材層１２、印刷層１３、樹脂層１４、接着層１５、シーラント層１６の順に積層されている。
なお、印刷層１３と接着層１５は、後述するように、必須の層ではなく、適宜必要に応じて設けられる層である。
従って、本発明で用いられる包装材料は、少なくとも耐熱性樹脂層１２とシーラント層１６の間に樹脂層１４を備えた積層体である。
【００１０】
更に、図１（ｂ）に示すように、包装材料１０は、耐熱性基材層１２、印刷層１３、中間層１７、樹脂層１４、接着層１５、シーラント層１６の順に積層されている。
なお、印刷層１３、接着層１５および中間層１７は、後述するように、必須の層ではなく、適宜必要に応じて設けられる層である。
【００１１】
耐熱性基材層１２は、包装材料１０の必須の層であり、この包装材料を用いて包装袋が作製された際には外側に配置されるように設けられる。
耐熱性基材層１２としては、一般に電子レンジで加熱又は加熱調理される冷凍食品やチルド食品用の包装材料として使用されているものであれば特に限定されない。
例えば、延伸ポリエチレンテレフタレートフィルム、シリカ蒸着ポリエチレンテレフタレートフィルム、アルミナ蒸着ポリエチレンテレフタレートフィルム、延伸ナイロンフィルム、シリカ蒸着延伸ナイロンフィルム、アルミナ蒸着延伸ナイロンフィルム、延伸ポリプロピレンフィルム、ポリビニルアルコールコート延伸ポリプロピレンフィルム、ナイロン６／メタキシレンジアミンナイロン６共押共延伸フィルム、ポリプロピレン／エチレン−ビニルアルコール共重合体共押共延伸フィルム等のうち、何れかのフィルムを使用することができる。
これらの耐熱性樹脂層１２は、融点が通常１５０℃以上であり、厚さは１０〜５０μｍである。
【００１２】
印刷層１３は、従来公知の印刷方法等によって、内容表示または美感付与等の目的で設けられるものであり、必須の層ではなく、適宜必要に応じて設けられる。
通常、この印刷層１３は、図１に示すように、耐熱性基材層１２の上面側、すなわち包装袋が作製された際に耐熱性基材層１２の内側（内容物側）になるように形成されてもよく、耐熱性基材層１２の下面側、すなわち包装袋が作製された際に耐熱性基材層１２の外側（内容物の反対側）になるように形成されてもよい。
【００１３】
樹脂層１４は、必須の層として、耐熱性樹脂層１２とシーラント層１６の間に設けられる。
この樹脂層１４は、室温以下の温度環境では所定の強度を有するが、高温の温度環境ではその強度が低下する性質を有するものである。
【００１４】
所定の強度を保持する室温以下の温度とは、通常、包装材料１０を用いて食品等の内容物を包装する工程時の環境温度や、内容物を密封包装した後の包装袋や容器の冷凍工程時の環境温度や、冷凍食品を輸送、保管する際の環境温度である。
従って、樹脂層１４は、こうした温度環境では、所定の強度が保持されることとなる。
一方、上記の所定の強度が低下する高温の温度環境とは、食品等の内容物を密封包装した包装袋や容器を、電子レンジで加熱又は加熱調理する際に加わる温度であり、こうした高い温度で樹脂層１４の強度が低下することとなる。
【００１５】
本発明では、このような性質を有する樹脂層１４を、包装材料１０のシールしたウィング部の先端辺部の少なくとも一領域に、包装袋の内側から外側に向かって横断するように設ける。
こうした位置に設けられた樹脂層１４は、電子レンジで加熱されて高温になることによってその強度が低下するものである。
【００１６】
図２は、本発明の電子レンジ用包装袋１のシールしたウィング部の先端辺部の一例を示す拡大断面図である。
図２の包装袋１のシール部分２２の拡大断面図に示すように、形成された樹脂層１４は、電子レンジで加熱等されて包装袋１内の空気の膨張や内容物に含まれる水蒸気によって内圧が上昇したとき、シール部２２近傍のシーラント層１６の任意の個所２３を起点として、強度が低下した樹脂層１４が破壊される（符号２４は、破壊する仮想線を示す。）。
その結果、シール部２２のシーラント層１６と耐熱性基材層１２との間に、包装袋１の内側から外側に向かって樹脂層１４の破壊による比較的小さい大きさの空気抜けが生じるので、包装袋１内の蒸気等が逃げ、その内圧を低下させることができる。
本発明では、破壊が部分的に起こるので、比較的小さい大きさの空気抜けが生じ、包装袋１の内圧が一気に低下することがなく、内容物の飛散が起こらない。
【００１７】
このような性質を有する樹脂層１４として、６０〜９０℃の融点を有する材料、例えば、エチレン−酢酸ビニル系共重合体樹脂、ポリアミド系樹脂、ポリアミド−硝化綿系樹脂、ポリアミド−硝化綿−ポリエチレンワックス系樹脂、ウレタン−ポリアミド−硝化綿系樹脂またはポリエチレンワックス−硝化綿系樹脂を含有する樹脂を挙げることができる。
融点が６０〜９０℃の樹脂層を用いることによって、電子レンジで加熱した際に、樹脂層１４とシーラント層１６の一部の部分的な破壊を起こりやすくさせるという利点を有する。
【００１８】
樹脂層１４の形成は、従来公知の樹脂コーティング法を用いることができ、その厚さは、１〜５μｍであることが好ましい。
樹脂層１４の厚さが１μｍ未満では、電子レンジで加熱した際に、樹脂層１４とシーラント層１６の破壊が起きにくいため好ましくない。
また、樹脂層１４の厚さが５μｍを越えると、樹脂層１４のパターンによっては、得られたフィルム状の包装材料をロール状に巻いたときに、一部に盛り上がりが生じ、その部分の包装材料が伸びてしまうため好ましくない。
【００１９】
包装材料１０は、後述するシーラント層１６を向かい合うように重ね合わせてシールした時に、樹脂層１４を設けた領域のシール強度が、室温以下の温度領域では１５（Ｎ／１５ｍｍ）以上であり、８０℃以上の高温の温度領域では１０（Ｎ／１５ｍｍ）以下であることが好ましく、１（Ｎ／１５ｍｍ）〜６（Ｎ／１５ｍｍ）の範囲にあることがより好ましい。
樹脂層１４を設けた領域のシール強度が、室温以下の温度領域では１５（Ｎ／１５ｍｍ）以上であるので、室温時又は冷凍時の取扱、輸送、保管等によってはシール部が剥がれて開くことがない。
また、８０℃以上の高温の温度領域では１０（Ｎ／１５ｍｍ）以下であるので、電子レンジで加熱した際に、樹脂層１４とシーラント層１６の一部が部分的に破壊する程度の強度まで低下する。
このような特性を有する包装材料によって作製された包装袋は、その範囲でシール強度を調整できるので、電子レンジで加熱されて内圧がある程度まで上昇したときに初めて部分的に破壊させるように調整するという利点を有する。
【００２０】
シーラント層１６は、必須の層として、樹脂層１４上に設けられ、包装袋が作製される際には内容物に接触する最内層となる。
シーラント層１６としては、低密度ポリエチレンフィルム、超低密度ポリエチレンフィルム、直鎖状低密度ポリエチレンフィルム、中密度ポリエチレンフィルム、高密度ポリエチレンフィルム、無延伸ポリプロピレンフィルム、エチレン−酢酸ビニル共重合体フィルム、エチレン−アクリル酸共重合体フィルム、エチレン−メタクリル酸共重合体フィルム、エチレン−メチルアクリレート共重合体フィルム、エチレン−エチルアクリレート共重合体フィルム、エチレン−メチルメタクリレート共重合体フィルム、アイオノマーフィルムのうち、何れか一種以上のフィルムが使用され、単層シーラント層または多層シーラント層とすることができる。
シーラント層は、これらの樹脂を押出しラミネート法で形成してもよく、予め、Ｔダイ法またはインフレーション法等により製膜したフィルムとして形成してもよい。
これらのシーラント層１６の厚さは、通常２０〜１００μｍが好ましく、３０〜６０μｍがより好ましい。
本発明においては、包装袋が作製される際に、シーラント層１６どうしが包装袋の被シール部でシール面を形成するため、従来の包装袋のようにシール強度の弱い剥離剤層によって一部のシール面が形成されることがないので、冷凍時、輸送時、保管時等において貼り合わされたシール面が破れて内容物の露出が起こることがない。
【００２１】
シーラント層１６は、高温の温度領域で樹脂層１４の強度が低下することにより、密封された包装袋内で上昇した内圧をシーラント層１６自身の強度によって維持しなければならなくなる。
そのため、図２に示すように、包装袋の内側のシール部２２境界面付近のシーラント層１６が、そのすぐ隣に設けられた樹脂層１４の強度の低下によって、亀裂が生じやすくなり、遂には、内圧に耐えきれずに任意の個所２３を起点として樹脂層１４と共に破壊し、空気抜けが生ずることとなる。
【００２２】
また、シーラント層１６は、包装袋を構成する部材毎に異なる仕様から形成されてもよく、また、同一の仕様から形成されるものでもよい。
例えば、図２に示すように、前記の樹脂層を耐熱性基材層とシーラント層の間に形成する一方の上部材のシーラント１６ａの厚みを、他の上部材および下部材のシーラントより薄くすることが好ましい。
また、一方の上部材のシーラント１６ａの材質のみを例えば、低密度ポリエチレン、コモノマ−の炭素数４の直鎖状低密度ポリエチレン（以下、「Ｃ４ＬＬＤＰＥ」という。）等の引裂強度に優れる性質を有するシーラントを使用することが好ましく、中でも、Ｃ４ＬＬＤＰＥが、シール性にも優れるため、より好ましいものである。
上記において、包装袋の内側のシール部２２境界面付近のシーラント層１６が、電子レンジで加熱する際、そのすぐ隣に設けられた樹脂層１４の強度の低下によって、亀裂をより生じやすくなり、スムーズに開封することができ、好ましい。
【００２３】
なお、中間層１７として、例えば、酸素バリア層および衝撃吸収樹脂層の何れか一方または両方を設けることもできる。また、これらの層を数層設けることもできる。
例えば、酸素バリア層としては、塩化ビニリデンフィルム、エチレン−ビニルアルコール共重合体フィルム、無機物蒸着フィルムを用いることもできる。
衝撃吸収樹脂層としては、ナイロンフィルムが好適に用いられる。
ナイロンフィルムは、１軸延伸、２軸延伸または無延伸の何れのものであっても好適に用いることができる。
衝撃吸収樹脂層の厚さは特に限定されないが、通常５〜４０μｍ、好ましくは１０〜３０μｍの範囲である。
但し、こうした中間層を設ける場合であっても、樹脂層１４は、最内層であるシーラント層１６上、または接着層１５を介してシーラント層１６上に設けることが、空気抜けを容易に生じさせる観点から好ましい。
【００２４】
包装材料の各層を形成する樹脂には、本発明の目的の達成を阻害しない範囲で、滑剤、酸化防止剤、帯電防止剤、着色剤のような公知の添加剤を随時添加することができる。
その添加量としては、極微量から数十％まで、その目的に応じて、任意に添加することができる。
【００２５】
次に、上記の本発明において、上記のような材料を使用して積層体を製造する方法について説明すると、かかる方法としては、耐熱性基材層１２、中間層１７、樹脂層１４、接着層１５およびシーラント層１６の層間は、例えば、ラミネート用接着剤によるラミネート用接着剤を介して積層するドライラミネーション法、あるいは、溶融押出し接着性樹脂による溶融押出し樹脂層を介して積層する押出しラミネーション法等で行うことができる。
【００２６】
上記において、ラミネート用接着剤としては、例えば、１液、あるいは２液型の硬化ないし非硬化タイプのビニル系、（メタ）アクリル系、ポリアミド系、ポリエステル系、ポリエーテル系、ポリウレタン系、エポキシ系、ゴム系、その他等の溶剤型、水性型、あるいは、エマルジョン型等のラミネート用接着剤を使用することができる。
上記のラミネート用接着剤のコーティング方法としては、例えば、ダイレクトグラビアロールコート法、グラビアロールコート法、キスコート法、リバースロールコート法、フォンテン法、トランスファーロールコート法、その他の方法で塗布することができる。
その塗布量としては、０．１〜１０ｇ／ｍ２（乾燥状態）位が好ましく、１〜５ｇ／ｍ２（乾燥状態）位がより好ましい。
【００２７】
上記において、溶融押出性樹脂層としては、熱可塑性樹脂層からなる樹脂層が使用され、各層間を接着するために使用することができる。
具体的には、接着性の溶融押出性樹脂層の材料としては、低密度ポリエチレン樹脂、中密度ポリエチレン樹脂、高密度ポリエチレン樹脂、直鎖状低密度ポリエチレン樹脂、メタロセン触媒を利用して重合したエチレン・αオレフィンとの共重合体樹脂、エチレン・ポリプロピレン共重合体樹脂、エチレン・酢酸ビニル共重合体樹脂、エチレン・アクリル酸共重合体樹脂、エチレン・アクリル酸エチル共重合体樹脂、エチレン・メタクリル酸共重合体樹脂、エチレン・メタクリル酸メチル共重合体樹脂、エチレン・マレイン酸共重合体樹脂、アイオノマー樹脂、ポリオレフィン樹脂に不飽和カルボン酸、不飽和カルボン酸、不飽和カルボン酸無水物、エステル単量体をグラフト重合、または、共重合した樹脂、無水マレイン酸をポリオレフィン樹脂にグラフト変性した樹脂等を使用することができる。これらの材料は、一種ないしそれ以上を組み合わせて使用することができる。
その樹脂層の厚みとしては、１０〜３０μｍ位が好ましい。
【００２８】
なお、上記の積層を行う場合、必要ならば、例えば、コロナ処理、オゾン処理、フレ−ム処理、その他等の前処理を施し、積層することができる。
上記の表面前処理は、各種の樹脂のフィルムないしシートと各層を積層する際、密着性等を改良するための方法として実施するものであるが、上記の密着性を改良する方法として、例えば、各種の樹脂のフィルムないしシートの表面に、予め、プライマーコート剤層、アンダーコート剤層、アンカーコート剤層等を任意に形成して、表面処理層とすることもできる。
【００２９】
上記の前処理のコート剤層としては、例えば、ポリエステル系樹脂、ポリアミド系樹脂、ポリウレタン系樹脂、エポキシ樹脂、フェノール系樹脂、（メタ）アクリル系樹脂、ポリ酢酸ビニル系樹脂、ポリエチレンあるいはポリプロピレン等のポリオレフィン系樹脂あるいはその共重合体ないし変性樹脂、セルロース系樹脂、その他等をビヒクルの主成分とする樹脂組成物を使用することができる。
【００３０】
以上に説明した包装材料１０を、シーラント層１６が向かい合うように重ね合わせ、所望の被シール部をヒートシールすることによって、本発明にかかる種々の形態の電子レンジ用包装袋を製造することができる。
【００３１】
次に、本発明の電子レンジ用包装袋の種々の形態について説明すると、図３は、本発明の電子レンジ用包装袋の一例を示す斜視図である。
図３に示すように、本発明の電子レンジ用包装袋は、袋の片面にウィング部を設けた袋である。
而して、本発明の電子レンジ用包装袋は、前記のウィング部を設けた上面として電子レンジで加熱できるものである。
【００３２】
図３に示すように、本発明の電子レンジ用包装袋における前記ウィング部の位置は、包装袋の端辺から偏在させ、上記の包装袋の端部からウィング部ａまでとウィング部から他端部ｂまでの長さの比が２／３以下であることが望ましい。
前記の距離が２／３を超えると、電子レンジによる加熱の際、好ましい自動開口ができない。
【００３３】
図３に示すように、蒸気口の幅の狭い方が、開封時の音が軽減される傾向があるために、前記のウィング部にガイドシール部５Ｇを設けてもよい。
【００３４】
図４は、本発明の別態様の電子レンジ用包装袋の一例を示す斜視図である。
本発明にかかる電子レンジ用包装袋としては、図４に示すような、本体部分が胴材と底材とからなるスタンディングパウチ形態に製袋された袋であってもよい。
図４に示すように、シーラント層を上面とした下部材と、シーラント層を下面とした上部材とを重ね合わせ、その胴部の両端部をヒートシールし、上部材と下部材の底部側にスタンディング可能となるよう、底材の周辺部をヒートシールした包装袋である。
前記の包装袋の製袋段階では、ヒートシールされておらず開口状態になっていて、この部分から内容物を充填するように構成されている。
【００３５】
図５は、本発明の電子レンジ用包装袋の構造を示す説明図である。
図５（ａ）に示すように、シーラント層を上面とした下部材２と、上部材３ａおよび上部材３ｂのシーラント層同士を対向させてウィング部４を形成し、シーラント層を下面とした上部材とを重ね合わせ、その周辺部をヒートシールして主シール部５を形成して密封した包装袋である。
なお、図５（ｂ）に示すように、上部材３ａおよび下部材２を１枚のシートから形成してもよい。
また、図示しないが、前記の樹脂層は、上部材１枚に形成してもよく、図５に示すように、上部材２枚に形成してもよい。
【００３６】
ヒートシールの方法は、従来公知の方法を使用でき、例えば、加熱バー、加熱ナイフ、加熱ワイヤ、インパルスシールのような外部加熱方式、または超音波シール、誘電加熱シールのような内部加熱方式を使用できる。
【００３７】
次に、本発明にかかる電子レンジ用包装袋の易開封加工部の形状について説明すると、図６は、前記の包装袋のウィング部の先端辺部に設けられる樹脂層形成領域の形状の一例を示す平面図である。
前記ウィング部内には、図６に示すように、耐熱性基材層とシーラント層の間に、室温以下の温度環境では所定の強度を有するが、高温の温度環境では前記の所定の強度が低下する性質を有する樹脂層を、シールしたウィング部の先端辺部の内側から外側に向かって少なくとも一領域、横断するように形成することが必要である。
前記の樹脂層の形成領域の形状としては、図６（ａ）に示すように、ウィング全体に設けてもよく、図６（ｂ）および図６（ｃ）に示すように、ウィングの一部に設けてもよい。
中でも、図６（ｃ）に示すように、先端辺部を先細りの形状にすることにより、開封時に発生する音が軽減されるため、より好ましい。
【００３８】
図７は、本発明の別態様の電子レンジ用包装袋（スタンディングパウチ）を示す図４のＸ２−Ｘ２部における断面図である。
図７（ａ）に示すように、胴部材７が、耐熱性基材層１２とシーラント層１６の間に、室温以下の温度環境では所定の強度を有するが、高温の温度環境では前記所定の強度が低下する樹脂層１４を、耐熱性基材層１２とシーラント層１６の間に、胴部材７と底材８のシールした先端辺部の少なくとも一領域において、内側から外側に向かって横断するように形成するものである。
また、図７（ｂ）に示すように、胴部材７が、前記の樹脂層１４を耐熱性基材層１２とシーラント層１６の間に、胴部材７と底材８のシールした先端辺部の少なくとも一領域において、内側から外側に向かって横断するように形成するものであってもよい。
更に、図７（ｃ）に示すように、胴部材７と底材８が、前記の樹脂層１４を耐熱性基材層１２とシーラント層１６の間に、胴部材７と底材８のシールした先端辺部の少なくとも一領域において、内側から外側に向かって横断するように形成するものであってもよい。
【００３９】
本発明において、上記のようにして製造した電子レンジ用包装袋は、例えば、冷凍しゅうまい等の固形食品、カレー、スープ、醤油、ソ−ス、出し汁、香辛料、料理用酒類、果汁類、水等の各種の流動性食品、飲食品を充填包装し得るものである。
【００４０】
次に、本発明にかかる電子レンジ用包装袋を用いて、流動性食品等の内容物を充填した包装体について説明すると、図８は、本発明の電子レンジ用包装体の断面図である。
前記のウィング部を上側にし、横置して加熱すれば、内容物９が流動性食品等の場合でも漏れる心配がなく、好ましいものである。
【００４１】
図９は、本発明の別態様の電子レンジ用包装袋（スタンディングパウチ）に流動性食品等の内容物を充填した包装体の断面図である。
スタンディングパウチを前記の樹脂層を設けた胴部を上側にし、横置して加熱すれば、内容物９が流動性食品等の場合でも漏れる心配がなく、好ましいものである。
【００４２】
図１０は、本発明の電子レンジ用包装袋に流動性食品等の内容物を充填した包装体のウィング部のシール部の（ａ）加熱前の状態と（ｂ）加熱によって蒸気を放散する状態を示す拡大断面図である。
図１１は、本発明の別態様の電子レンジ用包装袋（スタンディングパウチ）に流動性食品等の内容物を充填した包装体の胴部と底部のシール部の（ａ）加熱前の状態と（ｂ）加熱によって蒸気を放散する状態を示す拡大断面図である。
図１０、図１１に示すように、本発明の電子レンジ用包装袋が電子レンジで加熱された際に発生した蒸気の熱と圧力によって、前記の樹脂層１４が、選択的に破壊され、胴部と底部のシール部の下端から剥離が始まり、上端に向かって広がり、上端部に到達し、開口部が形成され、開口部から蒸気が放散して包装袋の内圧は、常圧に戻る。
【００４３】
以上説明したごとく、本発明の電子レンジ用包装袋は、袋の上部にウィング部を設けたことによって、液体を含む内容物の包装袋であっても、電子レンジの過熱に際して、ウィング部を上にして袋を横置きにできる。
而して、ウィング部の上部に蒸気の逃げ口を形成することにより、袋が破裂することなく、流動性のある食品が漏れることなく、安定して十分に加熱できるものである。
更に、予め、蒸気の逃げ口を形成しなくても、前記の樹脂層を、シールしたウィング部の先端辺部の少なくとも一領域に、内側から外側に向かって横断するように形成することにより、袋が破裂することなく、蒸気の逃げ口の範囲、大きさ、量を制御することができ、開封時の音も小さくて済み、自動的で安定してスムーズに開口部から蒸気が放散して包装袋の内圧が常圧に戻ることができるものである。
【００４４】
【実施例】
以下に実施例をあげて本発明を更に説明する。
（実施例１）
（１）下部材２および上部材の片側部材（図５（ａ）における３ｂ）の作製
耐熱性基材層１２として厚さ１５μｍの延伸ナイロンフィルムを用い、その上に、シーラント層１６として５０μｍの直鎖状低密度ポリエチレンフィルムを用い、二液硬化型ポリウレタン接着剤を接着層１５として用いて貼り合わせてドライラミネートし、下部材および上部材の片側部材（図５（ａ）における３ｂ）を作製した。
（２）上部材の片側部材（図５（ａ）における３ａ）の作製
次に、耐熱性基材層１２として厚さ１５μｍの延伸ナイロンフィルムを用い、その上に樹脂層１４としてエチレン−酢酸ビニル共重合体樹脂（融点：６６．８℃、ＷＴ−ＰＣ剤：ザ・インクテック株式会社製）を、厚さ３μｍとなるようにパターンコートした。
さらにその上に、シーラント層１６として５０μｍの直鎖状低密度ポリエチレンフィルムを用い、二液硬化型ポリウレタン接着剤を接着層１５として用いて貼り合わせてドライラミネートし、上部材の他側部材（図５（ａ）における３ａ）を作製した。
（３）包装袋の作製
上記で得られた下部材２および上部材（図５（ａ）の３ａおよび３ｂ）を用いて、シール温度１６０℃、圧力１ｋｇ／秒、シール幅１０ｍｍで、図３に示すような包装袋（１４５ｍｍ×１８０ｍｍ）を作製した。
図３に示す各部位の寸法を次の通りとした。
ａ＝３５ｍｍ、ｂ＝１４５ｍｍ、ｃ＝３５ｍｍ、ｄ＝１４５ｍｍ
（４）包装体の作製
この包装袋にカレー（１５０ｇ）を入れ、得られた包装体をウィング部を上向きにして横置の状態で、５００Ｗ電子レンジにて加熱した結果、約２分後にウィング部に設けた樹脂層コーティング部分から静かに蒸気が抜けた。
なお、蒸気は包装袋上部から抜けたので、図８に示すように内容物９のふきこぼれもなかった。
【００４５】（実施例２）
（１）底材および胴部材の片側部材の作製
耐熱性基材層１２として厚さ１５μｍの延伸ナイロンフィルムを用い、その上に、シーラント層１６として５０μｍの直鎖状低密度ポリエチレンフィルムを用い、二液硬化型ポリウレタン接着剤を接着層１５として用いて貼り合わせてドライラミネートし、底材および胴部材の片側部材を作製した。
（２）胴部材の他側部材の作製
次に、耐熱性基材層１２として厚さ１５μｍの延伸ナイロンフィルムを用い、その上に樹脂層１４としてエチレン−酢酸ビニル共重合体樹脂（融点：６６．８℃、ＷＴ−ＰＣ剤：ザ・インクテック株式会社製）を、厚さ３μｍとなるようにパターンコートした。
さらにその上に、シーラント層１６として５０μｍの直鎖状低密度ポリエチレンフィルムを用い、二液硬化型ポリウレタン接着剤を接着層１５として用いて貼り合わせてドライラミネートし、胴部材の他側部材を作製した。
（３）包装袋の作製
上記で得られた胴部材２枚および底材１枚を用いて、シール温度１６０℃、圧力１ｋｇ／秒、シール幅１０ｍｍで、図４に示すような包装袋（１３０ｍｍ×１７０ｍｍ）を作製した。
図４に示す各部位の寸法を次の通りとした。
ｅ＝１４５ｍｍ、ｆ＝２５ｍｍ、ｇ＝１３０ｍｍ
（４）包装体の作製
この包装袋にカレー（１５０ｇ）を入れ、得られた包装体をウィング部を上向きにして横置の状態で、５００Ｗ電子レンジにて加熱した結果、約２分後に包装袋上部のシール部に設けた樹脂層コーティング部分から静かに蒸気が抜けた。
なお、蒸気は包装袋上部から抜けたので、図９に示すように内容物９のふきこぼれもなかった。
【００４６】（実験１：シール強度測定）
実施例１および実施例２で製造した包装袋について、各々図１２および図１３に示す４個所の位置にて、サンプルを１５ｍｍ巾の短冊切りし、２３℃および９０℃で、引張試験機（オリエンテック社製）でＴ字剥離して測定した。
なお、引張速度は、３００ｍｍ／ｍｉｎ、つまみ間隔５０ｍｍ、ロ−ドセル５ｋｇｆで行った。
上記の測定結果について、下記の表１に示す。
なお、表１中には、１５ｍｍ当たりのシール強度（単位：Ｎ／１５ｍｍ）を記載した。
【００４７】（実験結果）
【表１】
2004106863.tif 000003
【００４８】
上記の測定結果より明らかなように、実施例１および実施例２にかかる包装袋は、常温２３℃、すなわち食品等の包装工程時や流通過程での環境温度領域において必要なシール強度を保持し、９０℃、すなわち電子レンジで加熱するときの環境温度領域において、ウィング部の樹脂を形成した部分のシール強度のみ低下して、その部分から内容物を包装したまま破裂を起こさず、内容物がこぼれることなく、開封音も静かで、短時間に内圧を低下させることができるものであった。
【００４９】
【発明の効果】
以上の説明で明らかなように、本発明は、電子レンジにより加熱するための袋であって、耐熱性基材層とシーラント層の間に、室温以下の温度環境では所定の強度を有するが、高温の温度環境では前記所定の強度が低下する樹脂層を、少なくとも一領域設けた積層フィルムを用いる包装袋であって、かつ、シーラント面を上面とした下部材と、シーラント面同士を向かい合わせて側部と先端辺部とをシールしたウィング部を形成し、シーラント面を下面とした上部材とを重ね合わせ、その周縁部をシールして主シール部として密封した包装袋であって、前記のウィング部を構成する上部材の１枚又は２枚が、前記の樹脂層を、シールしたウィング部の先端辺部の少なくとも一領域に、内側から外側に向かって横断するように形成してなることを特徴とする電子レンジ用包装袋を製造したところ、輸送や保管をするときに加わる圧力や衝撃によって剥離することなく、電子レンジで加熱するときに内容物を包装したまま破裂を起こさず、開封音も静かで、自動的に安定して内圧を低下させることができ、袋を横置に載置したまま、従来の固形食品に加えて、流動性食品等の内容物についても、こぼれることのない優れた電子レンジ用包装袋を提供することができるものである。
【図面の簡単な説明】
【図１】本発明の電子レンジ用包装袋に用いられる包装材料１０の一例を示す断面図である。
【図２】本発明の電子レンジ用包装袋のシールしたウィング部の先端辺部の一例を示す拡大断面図である。
【図３】本発明の電子レンジ用包装袋の一例を示す斜視図である。
【図４】本発明の別態様の電子レンジ用包装袋の一例を示す斜視図である。
【図５】本発明の電子レンジ用包装袋の構造を示す説明図、及び、そのＸ１−Ｘ１部における断面図である。
【図６】本発明の電子レンジ用包装袋のウィング部の先端辺部に設けられる樹脂層形成領域の形状の一例を示す平面図である。
【図７】図４のＸ２−Ｘ２部の断面図である。
【図８】本発明の電子レンジ用包装袋に内容物を充填した包装体の断面図である。
【図９】本発明の別態様の電子レンジ用包装袋に内容物を充填した包装体の断面図である。
【図１０】本発明の電子レンジ用包装袋に流動性食品等の内容物を充填した包装体のウィング部のシール部の（ａ）加熱前の状態と（ｂ）加熱によって蒸気を放散する状態を示す拡大断面図である。
【図１１】図９の包装体の胴部と底部のシール部の（ａ）加熱前の状態と（ｂ）加熱によって蒸気を放散する状態を示す拡大断面図である。
【図１２】実施例１の電子レンジ用包装袋のシール強度測定の位置を説明する図である。
【図１３】実施例２の電子レンジ用包装袋のシール強度測定の位置を説明する図である。
【符号の説明】
１　　　電子レンジ用包装袋
２　　　下部材
３ａ　　上部材
３ｂ　　上部材
４　　　ウィング部
５　　　主シール部
５Ｇ　　ガイドシール部
６Ｓ　　サイドシール部
６Ｂ　　ボトムシール部
７　　　胴部材
８　　　底材
９　　　内容物
１０　　包装材料（積層体）
１２　　耐熱性基材層
１３　　印刷層
１４　　樹脂層
１５　　接着層
１６　　シーラント層
１６ａ　樹脂層を形成した上部材のシーラント
１７　　中間層
２２　　シール部分
２３　　破壊の起点となる任意の個所
２４　　破壊する仮想線
３２　　樹脂層形成領域
【図１】
2004106863.tif 000004
【図２】
2004106863.tif 000005
【図３】
2004106863.tif 000006
【図４】
2004106863.tif 000007
【図５】
2004106863.tif 000008
【図６】
2004106863.tif 000009
【図７】
2004106863.tif 000010
【図８】
2004106863.tif 000011
【図９】
2004106863.tif 000012
【図１０】
2004106863.tif 000013
【図１１】
2004106863.tif 000014
【図１２】
2004106863.tif 000015
【図１３】
2004106863.tif 000016